(57)【要約】      （修正有）【課題】室内に取り付けても美観を損なうことなく、安全性も確保することが可能な耐震補強金具を提供する。【解決手段】細長い金属板を中央付近で直角に折り曲げたＬ字状本体部１０と、これを内部に収容できる樹脂製の保護カバー２０と、によって耐震補強金具を構成する。Ｌ字状本体部１０の面１３を壁面に接触させ、面１４を家具の天板に接触させ、固定ネジＳ１，Ｓ３，Ｓ４，Ｓ６を用いて、Ｌ字状本体部１０を壁面および家具に固定する。その後、保護カバー２０をＬ字状本体部１０に嵌合し、ネジＳ２，Ｓ５によって取り付ける。Ｌ字状本体部１０は、三角状のリブ板１８の部分を含めて、保護カバー２０によって覆われる。【選択図】図１
0003170723.tif 000002
【実用新案登録請求の範囲】
【請求項１】
細長い金属板を中央付近で直角に折り曲げることにより構成され、互いに９０°をなす第１の面および第２の面からなるオモテ面と、互いに２７０°をなす第３の面および第４の面からなるウラ面とが形成されたＬ字状本体部と、
前記第１の面を覆う第１の板状被覆部と、前記第２の面を覆う第２の板状被覆部と、を互いに端部において９０°をなすように接合してなり、周囲部分に前記Ｌ字状本体部の側面を覆う側面被覆部が形成された保護カバーと、
を備え、
前記第１の面および前記第２の面には、それぞれ前記Ｌ字状本体部にネジを通すためのネジ止め用貫通孔が形成されており、前記Ｌ字状本体部が前記保護カバーの内部に嵌合して収容されることを特徴とする耐震補強金具。
【請求項２】
請求項１に記載の耐震補強金具において、
Ｌ字状本体部が、第１の面および第２の面にそれぞれ一辺が接続された直角三角形の形状を有する板からなるリブ板を更に有し、
保護カバーが、前記リブ板を収容するリブ板収容部を更に有することを特徴とする耐震補強金具。
【請求項３】
請求項１または２に記載の耐震補強金具において、
Ｌ字状本体部を保護カバーの内部に嵌合して収容した状態において、第１の板状被覆部とＬ字状本体部との双方を貫通するネジを通すための第１の補助貫通孔と、第２の板状被覆部とＬ字状本体部との双方を貫通するネジを通すための第２の補助貫通孔と、が更に形成されていることを特徴とする耐震補強金具。
【請求項４】
請求項１〜３のいずれかに記載の耐震補強金具において、
保護カバーが弾性変形を生じる材料から構成されており、Ｌ字状本体部の側面と保護カバーの側面被覆部の内側面とに、互いに嵌合する係止構造が形成されており、保護カバーをその弾性変形を利用してＬ字状本体部に嵌め込んで固定できる構造としたことを特徴とする耐震補強金具。
【請求項５】
請求項１〜４のいずれかに記載の耐震補強金具を構成する保護カバー。
【考案の詳細な説明】
【技術分野】
【０００１】
本考案は、耐震補強金具に関し、特に、Ｌ字状に曲げた金属板を利用して、家具などを壁面に固定するのに適した耐震補強金具に関する。
【背景技術】
【０００２】
ここ数年来、度重なる大震災の影響により、一般の家庭においても防災意識が格段に高まってきている。木造建築物では、従来から、震災による倒壊を防止するために、Ｌ字状に曲げた金属板からなる耐震補強金具が利用されている。たとえば、下記の特許文献１には、木造建築物の骨組みの強度を補強するための金具として、細長い金属板を中央付近で直角に折り曲げることにより構成されたＬ字状の耐震補強金具が開示されている。このような金具を柱と梁などにボルトで固定することにより、骨組みの耐震強度を向上させることができる。
【０００３】
また、特許文献２，３には、このようなＬ字状の金具の強度を補強するために、斜め方向に連結金具を取り付けた構造が開示されており、特許文献４には、この斜め方向に渡す連結金具の一部をＵ字状に曲げてクッションの役割を果たす技術が開示されている。
【０００４】
一方、このようなＬ字状の金具を用いた耐震補強金具は、家具等の転倒を防止するために室内で利用する器具としても実用化されている。たとえば、下記の特許文献５には、Ｌ字状の金具を用いた家具の転倒防止器が開示されており、特許文献６には、Ｌ字状の金具に三角形の突張り板部を設けた家具の転倒防止器が開示されている。このようなＬ字状の金具を壁面と家具の一面とにネジで固定することにより、震災時に、家具を壁面にしっかり固定し、転倒を防止することができる。また、特許文献７には、このようなＬ字状の金具を用いた家具の転倒防止器において、衝撃力を緩和するために壁面との間に弾性部材を介在させる技術が開示されている。
【先行技術文献】
【特許文献】
【０００５】
【特許文献１】登録実用新案第３０２８２３１号公報
【特許文献２】登録実用新案第３０２９５１０号公報
【特許文献３】登録実用新案第３０８１１３３号公報
【特許文献４】特開２００１−２００５９０号公報
【特許文献５】特開平２−６４３４１号公報
【特許文献６】登録実用新案第３０１８５１８号公報
【特許文献７】特開平８−２９９０８７号公報
【考案の概要】
【考案が解決しようとする課題】
【０００６】
上述したとおり、Ｌ字状の金具を用いた耐震補強金具としては、主として、木造建築物の骨組みの補強に用いるタイプのものと、家具の転倒防止のために室内で用いるタイプのものが実用化されている。ここで、前者のタイプは、居住者の目に触れることはないため、外観が問題になることはない。これに対して、後者のタイプは、通常、室内の目に見えるところに取り付けられることになるため、外観の意匠性が問題になる。
【０００７】
一般的な居室の壁面は、内装材や壁紙などで化粧されており、そこに設置される家具も、それなりの意匠が施されたものになっている。このような意匠性の高い室内に設置された家具に、金属板からなる耐震補強金具を取り付けると、美観が損なわれ、意匠上の違和感が生じることは否めない。また、金属板の表面処理が適切に行われていないと、手が触れたときに怪我をするおそれもある。
【０００８】
そこで本考案は、美観を損なうことなく、安全性も確保することが可能な耐震補強金具を提供することを目的とする。
【課題を解決するための手段】
【０００９】
(1)   本考案の第１の態様は、耐震補強金具において、
細長い金属板を中央付近で直角に折り曲げることにより構成され、互いに９０°をなす第１の面および第２の面からなるオモテ面と、互いに２７０°をなす第３の面および第４の面からなるウラ面とが形成されたＬ字状本体部と、
第１の面を覆う第１の板状被覆部と、第２の面を覆う第２の板状被覆部と、を互いに端部において９０°をなすように接合してなり、周囲部分にＬ字状本体部の側面を覆う側面被覆部が形成された保護カバーと、
を設け、
第１の面および第２の面には、それぞれＬ字状本体部にネジを通すためのネジ止め用貫通孔が形成されており、Ｌ字状本体部が保護カバーの内部に嵌合して収容されるようにしたものである。
【００１０】
(2)   本考案の第２の態様は、上述の第１の態様に係る耐震補強金具において、
Ｌ字状本体部が、第１の面および第２の面にそれぞれ一辺が接続された直角三角形の形状を有する板からなるリブ板を更に有し、
保護カバーが、リブ板を収容するリブ板収容部を更に有するようにしたものである。
【００１１】
(3)   本考案の第３の態様は、上述の第１または第２の態様に係る耐震補強金具において、
Ｌ字状本体部を保護カバーの内部に嵌合して収容した状態において、第１の板状被覆部とＬ字状本体部との双方を貫通するネジを通すための第１の補助貫通孔と、第２の板状被覆部とＬ字状本体部との双方を貫通するネジを通すための第２の補助貫通孔と、を更に形成したものである。
【００１２】
(4)   本考案の第４の態様は、上述の第１〜第３の態様に係る耐震補強金具において、
保護カバーを、弾性変形を生じる材料によって構成し、Ｌ字状本体部の側面と保護カバーの側面被覆部の内側面とに、互いに嵌合する係止構造を形成し、保護カバーをその弾性変形を利用してＬ字状本体部に嵌め込んで固定できるようにしたものである。
【００１３】
(5)   本考案の第５の態様は、上述の第１〜第４の態様に係る耐震補強金具の保護カバーを単体の物品として提供できるようにしたものである。
【考案の効果】
【００１４】
本考案の耐震補強金具によれば、金属板からなるＬ字状本体部に保護カバーを装着することができるため、Ｌ字状本体部がむき出しの状態になることを避けることができる。このため、家具の転倒防止のために室内で用いたとしても、美観を損なうことなく、安全性も確保することが可能になる。
【図面の簡単な説明】
【００１５】
【図１】本考案の基本的な実施形態に係る耐震補強金具を分解した状態を示す斜視図である。
【図２】図１に示す耐震補強金具を用いて、家具を壁面に固定した状態を示す側断面図である。
【図３】図１に示す耐震補強金具を用いて、家具を壁面に固定した状態を示す正断面図である。
【考案を実施するための形態】
【００１６】
以下、本考案を図示する実施形態に基づいて説明する。図１は、本考案の基本的な実施形態に係る耐震補強金具を分解した状態を示す斜視図である。図示のとおり、この耐震補強金具は、Ｌ字状本体部１０と保護カバー２０とによって構成される。
【００１７】
Ｌ字状本体部１０は、細長い金属板を中央付近で直角に折り曲げることにより構成される。ここでは、説明の便宜上、図示のとおり、垂直に立った板状部分の右側の面を第１の面１１、水平に配置された板状部分の上面を第２の面１２と呼ぶこととし、垂直に立った板状部分の左側の面を第３の面１３、水平に配置された板状部分の下面を第４の面１４と呼ぶことにする。また、互いに９０°をなす第１の面１１および第２の面１２を合わせてオモテ面と呼び、互いに２７０°をなす第３の面１３および第４の面１４を合わせてウラ面と呼ぶことにする。
【００１８】
Ｌ字状本体部１０は、更に、第１の面１１および第２の面１２にそれぞれ一辺が接続された直角三角形の形状を有する板からなるリブ板１８を有している。このリブ板１８は、その両面が第１の面１１および第２の面１２に対して垂直になるように配置されており、第１の面１１および第２の面１２が互いに９０°となる関係を維持するように補強する役割を果たす。
【００１９】
Ｌ字状本体部１０のウラ面は、壁面や家具の天板などに接触させた状態で固定される。固定には、オモテ面からネジ止めがなされる。ここに示す実施形態の場合、第１の面１１には３つの貫通孔Ｈ１，Ｈ２，Ｈ３が形成され、第２の面１２にも３つの貫通孔Ｈ４，Ｈ５，Ｈ６が形成されている。ここで、貫通孔Ｈ１，Ｈ３は、壁面への固定を行うために、Ｌ字状本体部１０にネジＳ１，Ｓ３を挿通するためのネジ止め用貫通孔であり、貫通孔Ｈ４，Ｈ６は、家具の天板への固定を行うために、Ｌ字状本体部１０にネジＳ４，Ｓ６を挿通するためのネジ止め用貫通孔である。ユーザは、これら４本のネジを用いて、Ｌ字状本体部１０を壁面および家具の天板へと固定する。
【００２０】
震災時に家具の転倒を防止するという耐震補強金具としての本来の機能は、このＬ字状本体部１０が果たすことになる。すなわち、家具は、その上部が壁面に固定されるので、地震の際にも転倒することがなくなる。したがって、上記機能を果たすだけであれば、このＬ字状本体部１０を取り付ければ十分である。
【００２１】
しかしながら、Ｌ字状本体部１０は、金属製の板から構成された部材であり、室内に取り付けた場合に美観を損なう要因になる。また、十分な表面仕上げが行われていない場合、手を触れると怪我をするおそれもある。本考案では、このような問題に対処するために、保護カバー２０が設けられている。
【００２２】
保護カバー２０は、図示のとおり、Ｌ字状本体部１０の第１の面１１を覆う第１の板状被覆部２１と、第２の面１２を覆う第２の板状被覆部２２と、を互いに端部において９０°をなすように接合してなり、更に、周囲部分にＬ字状本体部１０の側面１５を覆う側面被覆部２５が形成されている。また、この保護カバー２０には、Ｌ字状本体部１０に設けられているリブ板１８を収容するリブ板収容部２８が形成されている。したがって、Ｌ字状本体部１０は、保護カバー２５に嵌合し、保護カバー２５の内部にそっくり収容される状態になる。
【００２３】
図示のとおり、第１の板状被覆部２１には、ネジＳ２を通すための補助貫通孔Ｈ７が形成されており、第２の板状被覆部２２には、ネジＳ５を通すための補助貫通孔Ｈ８が形成されている。Ｌ字状本体部１０を保護カバー２５の内部に収容した状態において、補助貫通孔Ｈ７は、Ｌ字状本体部１０に設けられた補助貫通孔Ｈ２の位置に揃い、補助貫通孔Ｈ８は、Ｌ字状本体部１０に設けられた補助貫通孔Ｈ５の位置に揃うように配置されている。
【００２４】
別言すれば、Ｌ字状本体部１０を保護カバー２０の内部に嵌合して収容した状態において、第１の板状被覆部２１とＬ字状本体部１０との双方を貫通するネジＳ２を通すための第１の補助貫通孔Ｈ７，Ｈ２が形成されており、第２の板状被覆部２２とＬ字状本体部１０との双方を貫通するネジＳ５を通すための第２の補助貫通孔Ｈ８，Ｈ５が形成されていることになる。ネジＳ２の先端部は、貫通孔Ｈ２を挿通して壁面に固定され、ネジＳ５の先端部は、貫通孔Ｈ５を挿通して家具の天板に固定される。
【００２５】
図２は、図１に示す耐震補強金具を用いて、家具を壁面に固定した状態を示す側断面図であり、図３は、図２に示す切断線Ａ−Ａ′における正断面図である。Ｌ字状本体部１０の第３の面１３は壁面３０に接触した状態で、ネジＳ１，Ｓ３によってしっかりと固定されている。また、Ｌ字状本体部１０の第４の面１４は家具の天板４０の上面に接触した状態で、ネジＳ４，Ｓ６によってしっかりと固定されている。一方、第１の板状被覆部２１は、Ｌ字状本体部１０の第１の面１１を覆う位置に配され、ネジＳ２によって壁面３０に固定されており、第２の板状被覆部２２は、Ｌ字状本体部１０の第２の面１２を覆う位置に配され、ネジＳ５によって家具の天板４０に固定されている。
【００２６】
ここで、ネジＳ１，Ｓ３，Ｓ４，Ｓ６には、家具４０を壁面３０に固定するための荷重に耐えるのに十分な強度が必要なのに対して、ネジＳ２，Ｓ５には、保護カバー２０の荷重を支えるのに十分な強度があれば十分である。なお、この実施形態の場合、図２に示すとおり、ネジＳ２，Ｓ５として頭部が平坦な平ネジを用いており、補助貫通孔Ｈ７，Ｈ８には、この平ネジの頭部を収容するテーパが設けられているため、ネジＳ２，Ｓ５を固定した状態において、保護カバー２０の外面と平ネジの頭部が同一面にくるようになっている。このため、保護カバー２０の外観は意匠性に優れている。
【００２７】
保護カバー２０を取り付けた状態では、Ｌ字状本体部１０は、この保護カバー２０の内部に完全に収容された状態になっており、ネジＳ１，Ｓ３，Ｓ４，Ｓ６を含めて、Ｌ字状本体部１０の表面が外部に晒されることはない。保護カバー２０は、意匠性の高い合成樹脂や木材など、室内に配置しても違和感のない材料で構成することができるので、美観を損なうことがない。また、金属ではないので、触れても怪我をすることがなく、安全性も確保することができる。
【００２８】
以上、本考案を図示する実施形態に基づいて説明したが、本考案は、当該実施形態に限定されるものではない。たとえば、上例では、Ｌ字状本体部１０には、補強のためのリブ板１８が設けられていたが、Ｌ字状本体部１０に、その基本構造を十分に維持できる剛性が備わっていれば、リブ板１８を省略することもできる。もちろん、リブ板１８を省略した場合には、保護カバー２０側のリブ板収容部２８も省略することができる。
【００２９】
また、上例では、６本のネジＳ１〜Ｓ６を用いて固定を行うために、Ｌ字状本体部１０に６個の貫通孔Ｈ１〜Ｈ６を設け、保護カバー２０に２個の貫通孔Ｈ７，Ｈ８を設けた例を示したが、固定に用いるネジの本数は任意であり、貫通孔も、ネジを通すのに必要な数だけ設けておけばよい。
【００３０】
更に、上例では、保護カバー２０を固定するために、２本のネジＳ２，Ｓ５を用いているが、保護カバー２０の固定には必ずしもネジを用いる必要はない。たとえば、保護カバー２０を、合成樹脂やゴムなどの弾性変形を生じる材料から構成しておき、Ｌ字状本体部１０の側面１５と保護カバー２０の側面被覆部２５の内側面とに、互いに嵌合する係止構造を形成しておくようにすれば、保護カバー２０をその弾性変形を利用してＬ字状本体部１０に嵌め込んで固定することも可能である。この場合は、ネジＳ２，Ｓ５や、これらのための貫通孔は設ける必要がない。
【００３１】
もちろん、上記係止構造を採用しつつ、ネジＳ２，Ｓ５による固定を併用するようにしてもかまわない。また、上記係止構造やネジＳ２，Ｓ５による固定も行わずに、保護カバー２０をＬ字状本体部１０に接着剤で固定するようにしてもかまわない。
【符号の説明】
【００３２】
１０：Ｌ字状本体部
１１：第１の面（オモテ面の一方）
１２：第２の面（オモテ面の他方）
１３：第３の面（ウラ面の一方）
１４：第４の面（ウラ面の他方）
１５：側面
１８：リブ板
２０：保護カバー
２１：第１の板状被覆部
２２：第２の板状被覆部
２３：側面被覆部
２８：リブ板収容部
３０：壁面
４０：家具（家具の天板）
Ｈ１，Ｈ３，Ｈ４，Ｈ６：ネジ止め用貫通孔
Ｈ２，Ｈ５，Ｈ７，Ｈ８：補助貫通孔
Ｓ１〜Ｓ６：ネジ
【図１】
0003170723.tif 000003
【図２】
0003170723.tif 000004
【図３】
0003170723.tif 000005
【手続補正書】
【提出日】平成23年7月28日(2011.7.28)
【手続補正１】
【補正対象書類名】実用新案登録請求の範囲
【補正対象項目名】請求項５
【補正方法】変更
【補正の内容】
【請求項５】
請求項１〜４のいずれかに記載の耐震補強金具用の保護カバーであって、
前記Ｌ字状本体部の第１の面を覆う第１の板状被覆部と、前記Ｌ字状本体部の第２の面を覆う第２の板状被覆部と、を互いに端部において９０°をなすように接合してなり、周囲部分に前記Ｌ字状本体部の側面を覆う側面被覆部が形成されたことを特徴とする保護カバー。